(57)【要約】【課題】体温測定部と本体部を通信による方法では、通信用アンテナおよび通信機能回路を測定手段である装着部に備える必要があるため広いスペースが必要となり、通信時に多大な電力が必要となる。【解決手段】本発明では体温測定手段である体温測定ブロック部１３を所定時間経過後の測定をするための時間測定機能部２３と体温測定をするための体温測定機能部１７およびサーミスタ１９、測定結果を保持するためのメモリ機能部２２の構成とし、起床後に入出力手段である本体ブロック部１４に接続して端子群２９と端子群３３を介して保持データを受け渡して表示すると共に端子２８と端子３２、端子３１と端子３５を介して充電を行う。【選択図】図４
2009074848.tif 000002
【特許請求の範囲】
【請求項１】
体に装着して体温を測定するための体温測定手段と、該体温測定手段に入出力する入出力手段とを備える体温測定装置であって、
前記体温測定手段は充電可能な電源である充電電源機能部、測定時間を所定時間に設定するための時間測定機能部と、体温を測定する体温測定機能部と、前記測定時間内に前記体温測定機能部により測定された結果を保持するためのメモリ機能部とを有し、
前記体温測定手段が前記入出力手段に配置されている期間において前記メモリ機能部に保持された結果を前記入出力手段へ伝達する体温測定装置。
【請求項２】
前記入出力手段は前記充電電源機能部に充電する機能を有することを特徴とする請求項１に記載の体温測定装置。
【請求項３】
前記体温測定手段および前記入出力手段は接続端子群を有し、該接続端子群を介して入出力することを特徴とする請求項１または請求項２に記載の体温測定装置。
【請求項４】
前記体温測定手段および前記入出力手段は電磁誘導により入出力することを特徴とする請求項１または請求項２に記載の体温測定装置。
【請求項５】
前記体温測定手段を前記入出力手段に貼り付けることを特徴とする請求項４に記載の体温測定装置。
【請求項６】
前記体温測定手段および前記入出力手段により基礎体温を測定することを特徴とする請求項１から請求項５のいずれか一項に記載の体温測定装置。
【請求項７】
前記所定時間は前記体温測定手段が前記入出力手段から分離されたことを基準とすることを特徴とする請求項１から請求項６のいずれか一項に記載の体温測定装置。
【発明の詳細な説明】
【技術分野】
【０００１】
本発明は体温測定装置に関し、特に体温の測定、基礎体温を簡便に測定する技術に関するものである。
【背景技術】
【０００２】
基礎体温を測定することは女性の健康を管理する上で有用なことはよく知られている。このため各社から種々の製品が販売されており、いくつかの発明が開示されている。実際に販売されている製品としてはニシトモ社の「ソフィア」やオムロン社の「サーモプラン」等がある。基礎体温は長期間の体温を測定し続ける必要があるため、各製品は１００日以上の体温測定データを記憶させてグラフ化する機能を持たせる等の特徴があり、基礎体温の長期間の周期変動が明確でわかりやすい工夫がなされている。
しかしながら、いずれの製品も朝起き上がる前に舌下で測定を行わなければならないことが測定条件になっており、その手間と労力から何十日間にもわたって基礎体温測定を持続させることは困難である。
【０００３】
上記課題を解決する１つの方法として体に装着するタイプの体温計が発明されている（例えば特許文献１参照）。上記発明によれば、体に装着して体温を測定する体温測定部と表示を行う本体部から構成されており、体温測定部に備えられた発信器から無線で測定データを本体部に送信する。さらに、上記体温測定部による深部体温測定に関する発明においては、明確に基礎体温測定時の有効性が示唆されている（例えば特許文献２参照）。
【０００４】
これらの発明による無線通信を使った体温測定部に関する模式図を図１０に示す。図中、電池１２２は通常時計等に使用されるリチウム電池であり、体温測定部全体の電源である。サーミスタ１２７は抵抗値が温度依存する素子である。体温測定機能部１２５はサーミスタ１２７の抵抗変化による電流変化をＡ／Ｄ変換して結果を制御機能部１２３に受け渡す。制御機能部１２３はメモリ、発信器、ＣＰＵを含み体温測定機能部１２５からのデータを通信機能部１２６に受け渡す。通信機能部１２６はアンテナ１２４を有する通信回路であり、制御機能部１２３から受け渡されたデータを本体部（図示せず）に送信し、本体部は受信した測定体温を表示する。
【０００５】
すなわち、サーミスタ１２７で測定した温度を体温測定機能部１２５、制御機能部１２３および通信機能部１２６を介して定期的に送信する。上記測定により子供や老人の体温変化を常時モニタリングでき、離れた場所でも体温異常に気づくことができる。また、基礎体温測定に採用することにより、起床時測定の煩わしさを解消して何日間も測定し続けることができる。
【特許文献１】特開平９−８９６７６号公報（第４頁、図１）
【特許文献２】特開２００６−３０８５３８号公報（第１７頁、図１）
【発明の開示】
【発明が解決しようとする課題】
【０００６】
上述した通信による方法では、通信用アンテナおよび通信機能部を体温測定手段である体温測定部に備える必要があるため広いスペースが必要となり、全体サイズが大きくなる。このため、体への装着が困難となると共に装着後の痛みや違和感等の不快感の原因となる。また、通信時に多大な電力が必要となるので、電源として電気容量の大きい電池が必須となるが、実装体積を要すると共に発熱等の安全性にも課題がある。さらには、無線は
他人に傍受されるおそれもあるので個人情報保護の面で完全ではない。
【０００７】
本発明では上述した問題点を解決し、省スペースで装着しやすくかつ装着後の不快感を軽減すると共に安全性の高い体温測定装置のシステムおよび測定方法を提供することを目的とする。
【課題を解決するための手段】
【０００８】
これらの課題を解決するために本発明による体温測定装置は、下記に記載の手段を採用する。
【０００９】
本発明の体温測定装置は、体に装着して体温を測定するための体温測定手段と、体温測定手段に入出力する入出力手段を備える体温測定装置であって、体温測定手段は充電可能な電源である充電電源機能部、測定時間を設定するための時間測定機能部、体温を測定する体温測定機能部、測定時間内に体温測定機能部により測定された体温測定結果を保持するためのメモリ機能部を有し、体温測定手段が入出力手段の所定位置に配置されている期間においてメモリ機能部に保持された体温測定結果を入出力手段へ伝達する。
さらには、入出力手段は充電電源機能部に充電する機能を有することが好ましい。また、体温測定手段および入出力手段は接続端子群を有し、接続端子群を介して入出力することも好ましい。さらには、体温測定手段および入出力手段は電磁誘導により入出力することも有効である。また、体温測定手段を入出力手段の外装に貼付けることも有効である。さらには体温測定手段および入出力手段により基礎体温を測定することも有効である。また、所定時間は体温測定手段が入出力手段から分離されたときを基準とすることも好ましい。
【００１０】
（作用）
上記体温測定装置を用いて基礎体温を測定する場合の時間と体温の関係は図３の体温曲線１２に示されるとおり、所定時間（ここでは４時間）経過後でないと安定しない。従って所定時間経過後と起床時刻の間である期間１６で測定することが適切であり、常に測定してリアルタイムで表示する必要はない。
【００１１】
本発明では体温測定手段である体温測定部２の回路である体温測定ブロック部１３は図４に示すとおり、上記条件に必要最低限の機能を要する構成とする。すなわち、所定時間経過後の測定をするための時間測定機能部２３と体温測定をするための体温測定機能部１７およびサーミスタ１９、測定結果を保持するためのメモリ機能部２２である。起床後に入出力手段である本体１４に接続して端子群２９と端子群３３を介して保持データを受け渡して表示すると共に端子２８と端子３２、端子３１と端子３５を介して充電を行う。
【００１２】
ここで、体温測定ブロック部１３には多大な電力を必要とする通信部はなく、測定時間が制限されているので低電力化される。また、通信部品およびアンテナ部がないので小型化される。従って電源として電池に比べて小容量な充電電源機能部１５でも１晩程度の電力はまかなえるので、さらなる小型化が可能となる。さらには電池と比べて廃棄する場合も特別な処理を必要としないので環境に対しても配慮されることとなる。また、化学反応を伴わず、内部抵抗も比較的大きいので人体に装着しても安全性が高い。
【００１３】
さらには、図７のごとく制御機能部８３を備えることにより実現することも可能となる。すなわち、本発明においては省電力で小型化の体に装着する型の体温計が実現できる。
【発明の効果】
【００１４】
以上の説明のように、本発明の体温測定装置においては、下記に記載する効果を有する。
従来の通信による方法では、通信用アンテナおよび通信機能回路を測定手段である装着部に備える必要がないため広いスペースが不要となり、全体サイズが小さくなるために体への装着が容易となると共に装着後の痛みや違和感等の不快感が軽減される。
【００１５】
また、通信時に多大な電力が不要となるので、電源として電気容量の小さい電池やコンデンサが使用でき、容積を小さくすると共に安全性にも優れている。
【発明を実施するための最良の形態】
【００１６】
以下、図面を用いて本発明を利用した体温測定装置の最適な実施形態を説明する。
図１は本発明の実施形態の例である。
【００１７】
図１は本発明による体温測定装置の全体構成図を示す。図中、人体１に体温測定手段である体温測定部２が装着されて体温が測定される。入出力手段である本体部４は体温測定部２を接続するための接続部３を有し、電源ケーブル５を介して家庭用１００Ｖ電源により駆動される。体温測定部２内の端子と接続部３内の端子を接続することにより、体温測定部２内部の測定データは本体部４に受け渡されて本体部４内のメモリに保持されて表示される。
【００１８】
体温測定部２が人体１に装着された時の平面構造の概略を図２（ａ）に示し、断面図を図２（ｂ）に示す。図中、回路基板９は回路配置領域１１、接続端子領域１０およびサーミスタ８を備えた基板である。回路部には測定やデータ保持に必要な電子回路が実装されている。接続端子領域１０は本体部４への接続に必要な複数の端子がある領域である。断熱層７はウレタン等の素材を使うことによりサーミスタ８の測定時の温度を保持するための層である。粘着テープ６は上記回路基板９と断熱層７を体に密着させるためのテープである。以上の構成により体温測定部２は人体１に装着されて体温を測定する。
【００１９】
図３は経過時間と体温の関係を示した相関模式図である。ここで、横軸は体温測定部２を人体１の腹部に装着した後の経過時間を示し、縦軸は測定された体温を示す。図中、体温曲線１２は体温の経時変化を表したもので、時間の経過と共に徐々に上昇する期間６７（約４時間）を経過後、起床するまで安定した体温の期間１６を有する。上記の就寝４時間後から起床時までの体温が安定している期間１６にて測定した体温を基礎体温として保持する。
【００２０】
次に具体的な回路に関して説明する。図４は本発明によるシステムブロックを示す。図中、体温測定ブロック部１３は体温測定部２の回路ブロックを示す。充電電源機能部１５は、体温測定ブロック部の電源として使用するスーパーキャパシタと呼ばれる大容量（０．０３Ｆ程度）の充電可能なコンデンサである。サーミスタ１９は通常の体温計に使用される温度変化に応じて抵抗値が変化する温度測定用の素子である。体温測定機能部１７はサーミスタ１９の抵抗変化を電圧変化に変換し、さらにはＡ／Ｄ変換し、その結果をメモリ機能部２２に伝達する。時間測定機能部２３は接続検出端子３０がロウレベルである場合にカウントを始め、約４時間経過後に測定信号を介してメモリ機能部２２に伝達する。メモリ機能部２２は測定信号の指示に従って測定結果を保持する。
【００２１】
端子２８は体温測定ブロック部１３の電源端子であり、本体ブロック部１４が接続される際に、本体ブロック部１４の電源端子である端子３２と接続されて体温測定ブロック部１３中の充電電源機能部１５は充電される。端子２９は体温測定ブロック部１３のメモリ内容を伝達するための８本の信号端子群であり、本体ブロック部１４が接続される際に、本体ブロック部１４の８本の信号端子群である端子３３と接続されて体温測定ブロック部１３中のメモリ機能部２２に保持された内容は本体ブロック部１４中の制御機能部４３に伝達される。端子３０は体温測定ブロック部１３の信号を伝達し、本体ブロック部１４が
接続される際に、本体ブロック部１４の信号端子である端子３４と接続されてハイレベルの信号となる。端子３１は体温測定ブロック部１３のグランドであり、本体ブロック部１４が接続される際に、本体ブロック部１４の端子３５によりグランドと接続される。
【００２２】
電源回路部４７は端子４８からの１００Ｖ交流電源を５Ｖ直流電源に変換し、本体ブロック部１４の電源として使用される。制御機能部４３は発信回路、中央演算回路、メモリ回路からなる全体を制御する機能を持ち、結果信号を受けて所定の演算をおこなう。スイッチ部４１はスイッチ群であり、ユーザーによる操作状況を示す信号を制御機能部４３に伝える。制御機能部４３は結果信号を温度に換算し、スイッチの状況に応じた表示信号を表示機能部４６に伝える。
【００２３】
すなわち、本体ブロック部１４が接続される際に、メモリ機能部２２に保持された体温測定データを本体ブロック部１４に伝えると共に、充電電源機能部１５に充電される。
【００２４】
図５は図４における体温測定ブロック部１３の具体的な回路構成を示す。図中、発振回路４９はＣＲ発振回路と呼ばれるコンデンサと抵抗を組み合わせたクロック発生回路である。ここで、水晶を使った発振回路を採用することも可能であるが、おおよその時間を測定することが目的であるので、高精度の水晶回路より簡易なＣＲ発振回路の構成とした。
【００２５】
アンド回路５０はインバータ回路５１の出力信号およびリセット付きＤ型フリップフロップ回路（以下、Ｒ−ＤＦＦ回路という。）５４の出力反転信号（ＱＢｎ信号６５）がハイレベルの際に、発信回路４９からのクロック信号（ＣＫ信号６２）をＲ−ＤＦＦ回路５２に出力する。Ｒ−ＤＦＦ回路５２はリセット信号（ＲＳＴ信号６１）がロウレベルであるとき、アンド回路５０から出力されたＣＫ信号６２を分周したＱＢ１信号６３をＲ−ＤＦＦ回路５３に出力する。Ｒ−ＤＦＦ回路５３はＲＳＴ信号６１がロウレベルであるとき、Ｒ−ＤＦＦ回路５２から出力されたＱＢ１信号６３を分周したＱＢ２信号を次のＲ−ＤＦＦ回路に出力する。このように順次Ｒ−ＤＦＦ回路により分周して、ＲＳＴ信号６１がロウレベルであるとき、ｎ番目のＲ−ＤＦＦ回路５７のＱＢｎ信号６５はアンド回路５０およびインバータ回路６０へ出力される。
【００２６】
ＡＤ回路５６はサーミスタ１９の抵抗値変化をアナログ値から８ビットのデジタル値に変換する回路であり、変換後の結果はメモリ機能部２２に伝達される。Ｄ型フリップフロップ回路（以下、ＤＦＦ回路という。）５７はＡＤ回路５６から出力される最下位ビット（ＬＳＢ）の信号をデータとして入力し、インバータ回路６０がロウレベルからハイレベルに変化する際に出力データとして保持される。ＤＦＦ回路５８はＡＤ回路５６から出力される下位から２ビットの信号をデータとして入力し、インバータ回路６０がロウレベルからハイレベルに変化する際に出力データとして保持される。以下同様に８ビットのデータが保持され、ＤＦＦ回路５９はＡＤ回路５６から出力される最上位ビット（ＭＳＢ）の信号をデータとして入力し、インバータ回路６０がロウレベルからハイレベルに変化する際に出力データとして保持される。体温測定部２と本体部４が接続した際には端子群２９を介してインバータ回路６０がロウレベルからハイレベルに変化する際の出力データを本体ブロック部１４に伝達することができる。
【００２７】
図６は図５で説明した時間測定機能部２３のタイミングチャートを示す。図中、ＲＳＴ信号６１は各Ｒ−ＤＦＦ回路にリセット信号として入力される信号であり、本体ブロック部１４に接続されているときはハイレベルであり、接続していないときは抵抗２５によりロウレベルとなる。ＣＫ信号６２はアンド回路５０から出力されるクロック信号である。ＱＢ１信号６３はＲ−ＤＦＦ回路５２の出力信号であり、ＱＢ２信号６４はＲ−ＤＦＦ回路５３の出力信号であり、ＱＢｎ信号６５はＲ−ＤＦＦ回路５４の出力信号である。
【００２８】
体温測定部２と本体部４が接続している期間６６においてＲＳＴ信号６１は強制的にハイレベルであり、ＱＢ１信号６３、ＱＢ２信号６４、ＱＢｎ信号６５はハイレベルとなっている。期間６７においてＲＳＴ信号６１はロウレベルとなり、ＱＢ１信号６３、ＱＢ２信号６４、ＱＢｎ信号６４はそれぞれの入力信号に応じて機能する。
【００２９】
以下、一連の動作を説明する。体温測定部２が本体部４から離れるタイミングからＣＫ信号６２はＲ−ＤＦＦ回路５２に入力され始め、ＤＦＦ回路５２はＣＫ信号６２を分周してＱＢ１信号６３としてＲ−ＤＦＦ回路５３に出力する。Ｒ−ＤＦＦ回路５３はＱＢ２信号６４を分周して次のＲ−ＤＦＦ回路に出力する。上記の通り順次分周してタイミングにおいて最後のＲ−ＤＦＦ回路５４の出力ＱＢｎ信号６５はハイレベルからロウレベルになる。ＱＢｎ信号６５がロウレベルとなるので、ＣＫ信号６２はロウレベルとなり、データはメモリ機能部２２に保持される。期間６７は約４時間であるので、メモリ機能部２２に保持された体温測定データは図３における体温が安定した期間１６内に測定した体温測定データということになる。
【００３０】
期間１１５においてＲ−ＤＦＦ回路５４の出力ＱＢｎ信号６５はロウレベル、ＣＫ信号６２はロウレベル、データはメモリ機能部２２に保持された内容のままである。その後、本体部４と体温測定部２が接続された期間１１６において、Ｒ−ＤＦＦ回路５４の出力ＱＢｎ信号６５はハイレベル、ＣＫ信号６２はロウレベル、データはメモリ機能部２２に保持される内容のままである。すなわち、期間１１５および期間１１６においては発振回路４９は動作せず、メモリ内容は保持される。
【００３１】
次に体温測定部２に上記の時間測定機能部２３およびメモリ機能部２２をまとめた機能を持たせるための制御機能部を用いた場合の例を説明する。図７は本発明による制御機能部８３を使用した場合のシステムブロックを示す。図中、体温測定ブロック部７０は体温測定部２の回路ブロックを示す。充電電源機能部７７は体温測定ブロック部７０の電源として使用するスーパーキャパシタと呼ばれる大容量（０．０３Ｆ程度）のコンデンサである。
【００３２】
サーミスタ８１は通常の体温計に使用される温度変化に応じて抵抗値が変化する温度測定用の素子である。測定機能部７９はサーミスタ８１の抵抗変化を電圧変化に変換し、さらにはＡ／Ｄ変換する機能を持ち、その測定結果を制御機能部８３に伝達する。制御機能部８３は中央演算装置、メモリ、発信回路から構成され、約４時間経過後の測定結果を８ビットデータとして保持し、端子群７４と端子群８７を介して本体ブロック部７１に伝達することができる。接続信号は体温測定ブロック部７０と本体ブロック部７１が接続されているかいないかを端子８８と端子７５の接続により制御機能部８３に伝達する。
【００３３】
端子７３は体温測定ブロック部７０の電源端子であり、本体ブロック部７１が接続される際に、本体ブロック部７１の電源端子である端子８６と接続されて体温測定ブロック部７０中の充電電源機能部７７は充電される。端子７４は体温測定ブロック部７０のメモリ内容を伝達するための８本の信号端子群および制御機能部８３の入出力を制御するための信号端子であり、本体ブロック部７１が接続される際に、本体ブロック部７１の８本の信号端子群である端子８７と接続されて体温測定ブロック部７０中の制御機能部８３に保持された内容は本体ブロック部７１中の制御機能部９４に伝達される。端子７５は体温測定ブロック部７０の信号を伝達し、本体ブロック部７１が接続される際に、本体ブロック部７１の信号端子である端子８８と接続されてハイレベルの信号となる。端子７６は体温測定ブロック部７０のグランドであり、本体ブロック部７１が接続される際に、本体ブロック部７１の端子８９によりグランドと接続される。
【００３４】
電源回路部９９は端子１００からの１００Ｖ交流電源を３．３Ｖ直流電源に変換し、本
体ブロック部７１の電源機能を果たす。測定結果信号は端子８７を介して制御機能部９４に伝わる。スイッチ部９６はスイッチ群であり、ユーザーによる操作状況を示す信号を制御機能部９４に伝える。制御機能部９４は測定データ９１を温度に換算し、スイッチの状況に応じた表示信号を表示装置９８に伝える。
【００３５】
すなわち、本体ブロック部７１が接続される際に、制御機能部８３に保持された体温測定データを本体ブロック部７１に伝えると共に、充電電源機能部７７に充電される。
【００３６】
図８は制御機能部８３のフローチャートを示す。最初のステップ１０１において測定部と本体が離れているかどうかを判定する。もし、離れていない場合はステップ１０８にて１０個のデータを本体部に送信する。離れている場合はステップ１０２にてカウントを開始し、ステップ１０３にて４時間カウントした後、ステップ１０４にてｎ＝１としてステップ１０５に進む。ステップ１０５にて測定値をｎ回目のデータとしてメモリに保持してステップ１０６に進む。ステップ１０６にて１０分間経過するまでカウントとしステップ１０７に進む。ステップ１０７にてｎ＋１が１０未満ならステップ１０５に戻り、１０以上であればステップ１０８に進む。以上のステップにより、本体と離れてから４時間後から１０分おきに１０個（１時間半分）のデータを本体に伝達することとなる。
【００３７】
上記実施の形態の例では本体部と測定部の入出力は各部の端子同士を接続することに行ったが、ＯＡ機器等の入出力に使用されている電磁誘導により行うことも可能であり、この場合は接続する必要はない。図９（ａ）に入出力時の配置例を示す。本体部１１０にポケット部１１４を有し、入出力時はポケット部１１４に測定部１１１を入れておくだけで電磁誘導により入出力が可能となる。
【００３８】
また、図９（ｂ）には別の入出力時の配置例を示す。体に装着した時に使用した粘着部により、入出力時は測定部１１２を本体部１１３に貼り付けておくだけで電磁誘導により入出力が可能となる。
【００３９】
以上により省スペースで装着しやすくかつ装着後の不快感を軽減すると共に安全性の高い体温測定装置のシステムおよび測定方法を提供することができる。ここで、測定し始めるまでの時間は４時間でなくても良く、限定するものではない。また、電源としてコンデンサとしたが２次電池でもよく、容量が小さく内部抵抗が大きなものでも使用できる。また、カウントを開始するタイミングはアルファ波検出や体位の検出等の体の状態を検出する等他の方法でも可能である。勿論、体温測定部を制御回路に取り込むことも可能である。測定部と本体部のデータ受け渡しをパラレルとしたがシリアル通信でも可能である。また、測定体温と共に測定時刻も記憶しても良い。勿論、本体部４の電源を１００Ｖの交流電源としたが、電圧を制限するものではなく、さらには電池でも良く限定するものではない。また、上記実施の形態では時間測定機能部２３により測定しない期間を限定したが、測定する期間を限定しても良い。また、温度測定素子としてサーミスタ素子としたが、ＩＲ測定素子などの他の温度測定を行う素子を使いそれに伴う体温測定機能部を備えれば同様である。
また、実施の形態では端子の接続と電磁誘導による入出力としたが、充電している間は電力の心配がないため、通信による入出力でも可能である。
【図面の簡単な説明】
【００４０】
【図１】本発明の実施形態における体温測定装置の全体構成を示す図である。
【図２】本発明の実施形態における体温測定装置の構造の概略を示す図である。
【図３】本発明の実施形態における時間経過に応じた体温測定結果を示す図である。
【図４】本発明の実施形態における体温測定装置のシステムブロックを示す図である。
【図５】本発明の実施形態における体温測定装置の回路を示す図である。
【図６】本発明の実施形態における体温測定装置のタイミングチャートを示す図である。
【図７】本発明の実施形態における体温測定装置のシステムブロックを示す図である。
【図８】本発明の実施形態における体温測定装置のフローチャートを示す図である。
【図９】本発明の実施形態における体温測定装置の使用例を示す図である。
【図１０】従来の体温測定装置の構成を示す図である。
【符号の説明】
【００４１】
２    体温測定部
４    本体部
９    基板
８    サーミスタ
１２  体温曲線
１３  体温測定ブロック部
１４  本体ブロック部
１５  充電電源機能部
１６  測定期間
１７  測定機能部
２２  メモリ機能部
２３  時間測定機能部
５２  Ｒ−ＤＦＦ回路
６１  ＲＳＴ信号
８３  制御機能部
【図１】
2009074848.tif 000003
【図２】
2009074848.tif 000004
【図３】
2009074848.tif 000005
【図４】
2009074848.tif 000006
【図５】
2009074848.tif 000007
【図６】
2009074848.tif 000008
【図７】
2009074848.tif 000009
【図８】
2009074848.tif 000010
【図９】
2009074848.tif 000011
【図１０】
2009074848.tif 000012